(57)【要約】本発明は、少なくとも２つの密閉コイルを有し、密閉コイルには、順次に直列に接続されている入力端子及び出力端子が設けられているフレームレス多重直列コイルを開示する。フレームレス多重直列コイルは、まず、一本のエナメル線により、一番目の密閉コイルを巻回するステップ１と、一番目の密閉コイルを基礎とし、二番目の密閉コイルを引き続き巻回し、前記二番目の密閉コイルの入力端子と前記一番目の密閉コイルの出力端子とを互いに直列に接続するステップ２と、必要に応じて、密閉コイルを引き続き巻回し、前記密閉コイルの入力端子と出力端子とを順次に直列に接続するステップ３とにより、巻回された。本発明は、携帯電話のカメラ、レーザヘッド／モータ／ドライバ又は歩数計、ＶＲ等のスマートウェアラブルデバイスに適用されると、低電圧の電力が入力される場合でも、より大きな駆動力を生成でき、コイルの感度がより高くなる。【選択図】図１
2019526161.tif 000002
【特許請求の範囲】
【請求項１】
少なくとも２つの密閉コイルを有し、前記密閉コイルには、入力端子及び出力端子が設けられており、前記密閉コイルの入力端子と出力端子とが順次に直列に接続されているフレームレス多重直列コイルであって、
まず、一本のエナメル線により一番目の密閉コイルを巻回するステップ１と、
一番目の密閉コイルを巻回し終わった上に、二番目の密閉コイルを巻回し、前記二番目の密閉コイルの入力端子と前記一番目の密閉コイルの出力端子とを直列に接続するステップ２と、
必要に応じて、密閉コイルを引き続き巻回し、前記密閉コイルの入力端子と出力端子とを順次に直列に接続するステップ３とにより巻回されてなる、
ことを特徴とするフレームレス多重直列コイル。
【請求項２】
前記密閉コイルを巻回するとき、まず、一本のエナメル線により一番目の内外多層の密閉コイルを巻回し、そして、一番目の内外多層の密閉コイルを巻回し終わった上に、二番目の内外多層の密閉コイルを引き続き巻回する、
ことを特徴とする請求項１に記載のフレームレス多重直列コイル。
【請求項３】
前記密閉コイルは、必要に応じて環状のコイル、楕円状のコイル、矩形のコイル、レーストラック形のコイル又は正方形のコイル、正六角形のコイル又は正八角形のコイルに巻回されることができる、
ことを特徴とする請求項１又は２に記載のフレームレス多重直列コイル。 
【発明の詳細な説明】
【技術分野】
【０００１】
本発明は小型電子部品の技術分野に関し、特に、携帯電話のカメラ、レーザヘッド、モータ、ドライバ、又は、スマートウェアラブルデバイスに用いられるフレームレス多重直列コイルに関する。
【背景技術】
【０００２】
現在、携帯電話のカメラ、レーザヘッド、モータ、ドライバ、スマートウェアラブルデバイスには、コイルが用いられている。レーザヘッドにおいて、レンズが可動コイルに粘着され、可動コイルには、磁性体が配置されており、可動コイルが通電されると、レンズが上下運動するように駆動され、これによって、レーザダイオードから発するレーザの焦点を調節できる。
携帯電話のカメラにおいて、レンズが可動コイルに固定され、可動コイルには磁性体が配置されており、可動コイルが通電されると、レンズが上下運動するように駆動され、これによって、携帯電話による撮影の際の結像フォーカス機能を実現できる。
従来技術では、コイル駆動装置は、一般的に、磁気回路システムを１つしか有しておらず、コイルの実装空間（主に高さ）に制限がある場合に、駆動コイルの感度を向上させるには、磁石の磁束密度を向上させるしかない。磁束密度を向上させるには、磁性がより強い磁石を使うことと、体積がより大きい磁石を使うこととの２つの方法がある。しかし、磁束密度の向上は、磁性材料により制限されるので、駆動コイルの感度を実質的に向上させることができない。
【発明の概要】
【０００３】
本発明の目的は、従来の欠陥を克服し、低電圧でより大きな駆動力を生成できるとともに、駆動コイルの感度を効果的に向上させることができるフレームレス多重直列コイルを提供することにある。
【０００４】
前述した目的を実現するために、本発明に係る解決手段は、
少なくとも２つの密閉コイルを有し、前記密閉コイルには、入力端子と出力端子が設けられており、前記密閉コイルの入力端子と出力端子が順次に直列に接続されるフレームレス多重直列コイルであって、
先ず、一本のエナメル線により、一番目の密閉コイルを巻回するステップ１と、
一番目の密閉コイルを巻回し終わった上に、二番目の密閉コイルを引き続き巻回し、前記二番目の密閉コイルの入力端子と前記一番目の密閉コイルの出力端子とを直列に接続するステップ２と、
必要に応じて、密閉コイルを引き続き巻回し、前記密閉コイルの入力端子と出力端子とを順次に直列に接続するステップ３とによって巻回されてなるフレームレス多重直列コイルである。
【０００５】
前記密閉コイルを巻回するときには、まず、一本のエナメル線により一番目の内外多層の密閉コイルを巻回し、そして、一番目の内外多層の密閉コイルを巻回し終わった上で、二番目の内外多層の密閉コイルを引き続き巻回することが好ましい。
【０００６】
前記密閉コイルは、必要に応じて、環状のコイル、楕円状のコイル、矩形のコイル、レーストラック形のコイル又は正方形のコイル、正六角形のコイル又は正八角形のコイルに巻回されることできることが好ましい。
【０００７】
前述した技術手段を採用すると、それぞれの密閉コイルは独立した存在でありながら、互いに直列に接続されているものであるので、搭載されるときに、コイルの実装空間の制限、特に、高さの制限を克服できる。それぞれの密閉コイルを横向きに柔軟に搭載することにより、コイルの実装空間の高度空間に対する限定を克服でき、且つ、複数のコイルにより、磁束密度増やすこともできるので、携帯電話のカメラ、レーザヘッド、モータ、ドライバ、又は、スマートウェアラブルデバイスに適用されると、低電圧の電力が入力される場合でも、より大きな駆動力を生成でき、実際応用において、駆動コイルの感度がより高くなる。
【図面の簡単な説明】
【０００８】
【図１】本発明に係る実施例１の斜視模式図である。
【図２】本発明に係る実施例１の平面図である。
【図３】本発明に係る実施例２の斜視模式図である。
【図４】本発明に係る実施例３の構造模式図である。
【発明を実施するための形態】
【０００９】
本発明の目的、技術手段、及び利点をより明らかにするために、以下、図面及び実施例を参照しながら、本発明をさらに詳しく説明する。ここで記載される具体的な実施例は、本発明を解釈するためのものに過ぎず、本発明を限定するためのものではないことを理解すべきである。
【００１０】
実施例１：
図１及び図２に示すように、本発明は、２つの密閉コイル２１、２２を有し、密閉コイル２１、２２には、入力端子２１１、２２１及び出力端子２１２、２２２がそれぞれ設けられており、密閉コイル２２の入力端子２２１と密閉コイル２１の出力端子２１２とが直列に接続されているフレームレス多重直列コイルを開示する。本実施例におけるフレームレス多重直列コイルは、以下のステップにより巻回されてなる。
【００１１】
ステップ１において、まず、一本のエナメル線１により、単層コイルである一番目の密閉コイル２１を巻回する。
【００１２】
ステップ２において、一番目の密閉コイル２１を基礎として、二番目の密閉コイル２２を引き続き巻回し、巻回するときに、二番目の密閉コイル２２の入力端子２２１と一番目の密閉コイル２１の出力端子２１２とを直列に接続する、即ち、同一のエナメル線１により２つの密閉コイル２１、２２を巻回する。
【００１３】
具体的に使用される場合において、当該フレームレス多重直列コイルは、異なる電子機器に用いられる場合の実装環境と位置空間によって、密閉コイルの形状も大きく区別されることが可能である。電子製品の内部の空間利用率を向上させるために、密閉コイルは、必要に応じて、円形、楕円形、矩形又はレーストラック形など異なる形状に設計されることができる。環状のコイル、楕円状のコイル又は矩形のコイルは、形状の異なるスマートウェアラブルデバイスに好適に合わせて使用され、構造が簡単で、適用性が広い。
【００１４】
もちろん、当該フレームレス多重直列コイルは、具体的に電子機器に使用される場合において、異なるユーザーの好み及び製造者のイノベーションアイデアに応じて正方形、正六角形、正八角形に設計されてもよい。正方形のコイル、正六角形のコイル又は正八角形のコイルは、前述したような形状の駆動コイルに適用される。
【００１５】
具体的に使用されるときにおいて、当該フレームレス多重直列コイルは電子機器に適用される場合に、それぞれの密閉コイルが独立した存在でありながら、互いに直列に接続されているものであるので、搭載されるときに、コイルの実装空間に対する制限を克服でき、柔軟に搭載されることができ、且つ、複数のコイルにより、磁束密度を増やすこともできるので、低電圧の電力が入力される場合でも、より大きな駆動力を生成でき、即ち、実際応用において駆動コイルの感度がより高くなる。
【００１６】
実施例２：
図３に示すように、実施例１と比較すると、三つの密閉コイル２１、２２、２３を互いに直列に接続してなるものであることに相違点がある。駆動コイルの使用場面及び設計の需要に応じて、実装空間がより小さく、電力需要がより大きい電子機器に適用され、実用性が強い。
本実施例では、三つの密閉コイルの直列接続を採用することにより、直径をより小さくすることができるので、実装空間がより小さく、電力需要がより大きい電子機器に適用される。
【００１７】
実施例３：
図４に示すように、実施例１と比較すると、密閉コイルを巻回するときに、一本のエナメル線１により一番目の内外多層構造の密閉コイル３を巻回し、そして、一番目の内外多層の密閉コイルを巻回し終わった上で、二番目の内外多層の密閉コイルを引き続き巻回することに相違点がある。
【００１８】
本実施例では、密閉コイル３は内外多層構造の密閉コイルであるので、コイルが作動する時に、より大きな運動エネルギーを生成でき、その出力パワーがより高くなる。
以上は、本発明の好ましい具体的な実施形態に過ぎず、本発明の保護範囲はこれに限定されるものではなく、当業者が本発明に開示された技術範囲内において容易に想到できるすべての変化又は置換は、いずれも本発明の保護範囲に含まれるべきである。したがって、本発明の保護範囲は特許請求の範囲の保護範囲を基準とするべきである。
【図１】
2019526161.tif 000003
【図２】
2019526161.tif 000004
【図３】
2019526161.tif 000005
【図４】
2019526161.tif 000006
【国際調査報告】
2019526161.tif 000007
2019526161.tif 000008
2019526161.tif 000009
2019526161.tif 000010